【手続補正書】
【提出日】平成16年11月1日(2004.11.1)
【手続補正１】
【補正対象書類名】明細書
【補正対象項目名】特許請求の範囲
【補正方法】変更
【補正の内容】
【特許請求の範囲】
【請求項１】  画像オブジェクトを配信するシステム（１）であって、通信網（３）と、該通信網（３）と接続された少なくとも１つのメディアセンタ（２）と、該メディアセンタ（２）と接続され、ユーザ関心対象プロファイルが内部に記憶されているユーザ関心対象データベース（２９２）と、該画像オブジェクトおよび該画像オブジェクトに関連付けられた画像オブジェクト情報が内部に記憶されている画像オブジェクトデータベース（２９１）と、該通信網（３）と接続可能である１つまたは複数個の通信端末機（４、４’、４”）とを含み、該通信端末機はその１つの通信端末機（４）のユーザに対して該画像オブジェクトを閲覧できるようにする表示ユニット（４１）をそれぞれ使用可能であり、
該ユーザ関心対象データベース（２９２）内にユーザ関心対象プロファイルに関連付けられたユーザ識別データが記憶されると共に、
該メディアセンタ（２）は以下の機能、すなわち、
−該通信端末機（４、４’、４”）から該通信網（３）を経て該メディアセンタ（２）にそれぞれ送信されるユーザ識別データを受信する機能と、
−該受信したユーザ識別データが関連付けられたユーザ関心対象プロファイルを決定する機能と、
−該決定されたユーザ関心対象プロファイルの情報との少なくとも１つの相関関係を有する画像オブジェクト情報が関連付けられた画像オブジェクトを決定する機能と、
−該決定された画像オブジェクトの少なくとも１つを該通信網（３）を経て、該受信されたユーザ識別データの転送元である当該の通信機器（４）へと送信する機能と、を実行する手段を含むことを特徴とするシステム。
【請求項２】  請求項1に記載のシステムにおいて、該通信端末機（４）は、該ユーザの少なくとも片方の眼の実際の視線方向を決定するためのそれぞれ１つの視線方向決定モジュール（４２）を含むと共に、該メディアセンタ（２）は視線方向評価モジュール（２３）を含み、該視線方向評価モジュールは当該の該通信機器（４）から該通信網（３）を経て該メディアセンタ（２）に送信される実際の視線方向に基づいて、また、該メディアセンタ（２）から該通信網（３）を経て該通信機器（４）に転送されるビデオオブジェクトおよび／または画像オブジェクトに基づいて、該通信機器（４）のユーザによって閲覧される該画像オブジェクトを決定するシステム（１）。
【請求項３】  請求項2に記載のシステムにおいて、該メディアセンタ（２）は、視線方向評価モジュール（２３）によって決定された画像オブジェクトに基づいてユーザ関心対象プロファイルを特定し、かつ該ユーザ関心対象データベース（２９２）に記憶する関心対象決定モジュール（２５）を含むことを特徴とするシステム（１）。
【請求項４】  請求項2又は3に記載のシステムにおいて、該画像オブジェクト情報は注文番号を含み、該ユーザの該ユーザ識別データは明確なユーザ識別名を含むと共に、該メディアセンタ（２）は、決定された該画像オブジェクトの１つについて注文手続きを開始する注文モジュール（２２）を含み、該注文には該画像オブジェクトに関連付けられた注文番号、および該のユーザの明確なユーザ識別名が使用されることを特徴とするシステム（１）。
【請求項５】  請求項1乃至4の何れか1項に記載のシステムにおいて、該メディアセンタ（２）は該決定された画像オブジェクトを該ビデオオブジェクトに挿入する手段を含み、該ビデオオブジェクトは該メディアセンタ（２）から該通信網（３）を経て該通信機器（４）に送信され、そこで該ビデオオブジェクトは該表示ユニット（４１）を利用して該通信機器（４）のユーザが閲覧可能であるようにされることを特徴とするシステム（１）。
【請求項６】  請求項5に記載のシステムにおいて、記憶されたメディアオブジェクトから該ビデオオブジェクトを生成するビデオシンセサイザ（２７）を含み、メディアオブジェクト情報が関連付けられたメディアオブジェクトは、該メディアオブジェクト情報が該決定されたユーザ関心対象プロファイルの情報と少なくとも１つの相関関係を有するように決定されることを特徴とするシステム（１）。
【請求項７】  請求項1乃至6の何れか1項に記載のシステムにおいて、該ユーザ識別データは生物測定学的なユーザの特徴を含むと共に、該通信機器（４）は該生物測定学的なユーザの特徴を検出するためのセンサ（４３）を利用可能であることを特徴とするシステム（１）。
【請求項８】  請求項7に記載のシステムにおいて、該生物測定学的なユーザの特徴は網膜パターンを含むと共に、該センサ（４３）は該網膜パターンを検出するための超小型エレクトロメカニカルスキャナを含むことを特徴とするシステム（１）。
【請求項９】  請求項1乃至8に何れか1項に記載のシステムにおいて、該表示ユニット（４１）は、ビデオオブジェクト、および／または画像オブジェクトに対応する光信号をユーザの網膜に直接投影する仮想網膜表示ユニットを含むことを特徴とするシステム（１）。
【請求項１０】  該通信網（３）はモバイル無線網を含むと共に、該通信機器（４、４’、４”）はモバイル無線器を含むことを特徴とする請求項１から９のいずれか一項に記載のシステム（１）。
【請求項１１】  請求項1乃至10の何れか1項に記載のシステムにおいて、それぞれが商品および／またはサービスに関連し、該商品および／またはサービスの提供者によって通信網（５）を介して入力される画像オブジェクト、およびこれに関連付けられた画像オブジェクト情報を受信し、かつ該受信された画像オブジェクト、およびこれに関連付けられた画像オブジェクト情報を画像オブジェクトデータベース（２９１）に記憶する画像オブジェクト入力モジュール（２４）を備えることを特徴とするシステム（１）。
【請求項１２】  画像オブジェクトを配信する方法であって、メディアセンタ（２）と接続された画像オブジェクトデータベース（２９１）から画像オブジェクトが取り出され、該画像オブジェクトデータベース（２９１）内に該画像オブジェクトおよび該画像オブジェクトに関連付けられた画像オブジェクト情報が記憶され、かつ該メディアセンタ（２）を介して通信網（３）を経て、該通信網（３）と接続可能な通信機器（４、４’、４”）に送信され、かつ該通信機器の１つ（４）のユーザが該通信機器（４）の表示ユニット（４１）を使用して該画像オブジェクトをそれぞれ閲覧できるようにされ、
該通信機器の１つ（４）から該通信網（３）を経て該メディアセンタ（２）にそれぞれ送信されるユーザ識別データが該メディアセンタ（２）によって受信され、
該メディアセンタ（２）と接続され、ユーザ関心対象プロファイルおよび該ユーザ関心対象プロファイルに関連付けられたユーザ識別データが記憶されているユーザ関心対象データベース（２９２）から、該受信されたユーザ識別データに関連付けられたユーザ関心対象プロフィルがそれぞれ該メディアセンタ（２）によって決定され、
該画像オブジェクト情報が関連付けられ、該決定されたユーザ関心対象プロファイルの情報と少なくとも１つの相関関係を有する画像オブジェクトが、該メディアセンタ（２）によって該画像オブジェクトデータベース（２９１）から選択され、かつ、
該選択された画像オブジェクトの内の少なくとも1つが、該受信されたユーザ識別データを送信した該通信機器（４）に該通信網（３）を経て該メディアセンタ（２）によって送信されることを特徴とする方法。
【請求項１３】  請求項12に記載の方法において、ユーザの少なくとも片方の眼の実際の視線方向は、該通信機器（４）の視線方向決定モジュール（４３）によってそれぞれ決定され、該決定された実際の視線方向は、該通信機器（４）から該通信網（３）を経て該メディアセンタ（２）にそれぞれ送信されると共に、決定された実際の視線方向に基づいて、また、該メディアセンタ（２）から該通信網（３）を経て該通信機器（４）に送信されたビデオオブジェクトおよび／または画像オブジェクトに基づいて、該通信機器（４）のユーザによって閲覧される該画像オブジェクトがそれぞれ該メディアセンタ（２）の視線方向評価モジュール（２３）によって決定される方法。
【請求項１４】  該メディアセンタ（２）の関心対象決定モジュール（２５）によって、視線方向評価モジュール（２３）によって決定された画像オブジェクトに基づいてユーザ関心対象プロファイルが決定され、かつ該ユーザ関心対象データベース（２９２）に記憶されることを特徴とする請求項１３に記載の方法。
【請求項１５】  請求項13又は14の何れか1項に記載の方法において、該画像オブジェクト情報は注文番号を含み、該ユーザの該ユーザ識別データは明確なユーザ識別名を含むと共に、該選択された該画像オブジェクトの１つについて注文手続きが該メディアセンタ（２）の注文モジュール（２２）によって開始され、該注文には該画像オブジェクトに関連付けられた注文番号、および該ユーザの明確なユーザ識別名が使用されることを特徴とする方法。
【請求項１６】  請求項12乃至15の何れか1項に記載の方法において、該選択された画像オブジェクトは該メディアセンタ（２）によって該ビデオオブジェクトに挿入され、該ビデオオブジェクトは、該メディアセンタ（２）から該通信網（３）を経て該通信機器（４）に送信され、そこで該ビデオオブジェクトは該表示ユニット（４１）を利用して該通信機器（４）のユーザが閲覧可能であるようにされることを特徴とする方法。
【請求項１７】  請求項16に記載の方法において、該ビデオオブジェクトは記憶されたメディアオブジェクトからビデオシンセサイザ（２７）によって生成され、該メディアオブジェクト情報が関連付けられたメディアオブジェクトは、該決定されたユーザ関心対象プロフィル情報と該メディアオブジェクト情報とが少なくとも１つの相関関係を有するように選択されることを特徴とする方法。
【請求項１８】  請求項12乃至17の何れか1項に記載の方法において、該通信機器（４）内でセンサ（４３）を用いて生物測定学的なユーザの特徴が検出され、該生物測定学的なユーザの特徴は該ユーザ識別データに挿入されることを特徴とする方法。
【請求項１９】  請求項18に記載の方法において、超小型エレクトロメカニカルスキャナを用いて網膜パターンが検出され、該網膜パターンは該ユーザ識別データに挿入されることを特徴とする方法。
【請求項２０】  請求項12乃至19の何れか1項に記載の方法において、該ビデオオブジェクトおよび／または該画像オブジェクトに対応する光信号が仮想網膜表示ユニット（４１）によってユーザの網膜に直接投影されることを特徴とする方法。
【請求項２１】  請求項12乃至20の何れか1項に記載の方法において、該通信網（３）はモバイル無線網を含むと共に、該通信機器（４、４’、４”）はモバイル無線器を含むことを特徴とする請求項１２から２０のいずれか一項に記載の方法。
【請求項２２】  請求項12乃至21の何れか1項に記載の方法において、それぞれが商品および／またはサービスに関連し、該商品および／またはサービスの供給業者によって通信網（５）を介して入力される画像オブジェクト、およびこれに関連付けられた画像オブジェクト情報は該メディアセンタ（２）内で受信され、かつ画像オブジェクトデータベース（２９１）に記憶されることを特徴とする方法。
【手続補正２】
【補正対象書類名】明細書
【補正対象項目名】０００２
【補正方法】変更
【補正の内容】
【０００２】
集中記憶され、オブジェクト情報が関連付けられた画像オブジェクトが通信機器を経て通信機器に送信され、この通信機器のユーザがそれぞれ通信機器の表示ユニットを利用して該画像オブジェクトを閲覧できるようにする方法および装置は公知である。画像オブジェクトとは以下のテキストでは、好適には適宜のメディア基準、および／または像データ基準に基づいて構成され、かつ適宜の手段、例えばソフトウェアまたはハードウェアによって実施される機能、特に解凍／圧縮、および再生機能によってユーザが表示ユニット上で閲覧できるようにすることが可能である像コンテンツを含む、データファイルのことである。この画像オブジェクトの画像コンテンツは例えば、例えばディジタル写真、グラフィックおよび／またはテキストのような静止画像であるが、例えばビデオ画面のような動画も該当する。例えばこのような画像オブジェクトはウェブサーバからインターネットを経て、例えばパーソナルコンピュータのような通信機器に転送され、そこで例えばスクリーンのような表示ユニットによってユーザが閲覧できるようにされる。このような公知のシステムおよび方法の場合、常に、ユーザがウェブサーバで利用できる様々なページによってどのようにナビゲートされるか、すなわちどのようなナビゲーション命令、および／または検索命令および検索パラメータをユーザが入力するかに応じて、画像オブジェクトがユーザの通信機器に送信され、その際に個々の画像オブジェクトがウェブサーバによって特定のユーザ別に選択され、該ユーザに送信されることはない。
米国特許明細書第５７５８２５７号には、ユーザプロファイルに基づいてビデオプログラムの配信、およびそれに対するアクセスを時間的に組織する（スケジュール）ためのシステムおよび方法が記載されている。米国特許明細書第５７５８２５７号の教示内容によれば、テレビケーブル網のユーザ向けに、それぞれがテレビ受像機と接続されたセットトップボックス内でユーザの聴視習慣に基づいてユーザプロファイルが決定され、セットトップボックスに記憶される。このユーザプロファイルに基づいて、セットトップボックス内で、テレビケーブル網を介して受信された正規のテレビチャネルのビデオプログラムから、内容が当該ユーザの関心対象にできるだけ適合する仮想チャネルがそれぞれ生成される。米国特許明細書第５７５８２５７号によれば、セットトップボックスには、それぞれ異なるユーザ識別子が関連付けられた複数のユーザプロファイルも記憶されるので、当該ユーザによって、仮想チャネルを生成するための個々のユーザプロファイルがそれぞれ画面に表示される。米国特許明細書第５７５８２５７号によれば、セットトップボックスによってユーザプロファイル情報を逆方向チャネル、例えば電話回線を介してテレビケーブル網の端末機に伝送することができ、それに基づいて全ユーザの聴視習慣を纏めた全ユーザプロファイルが決定される。米国特許明細書第５７５８２５７号の教示内容によれば、この全ユーザプロファイルに基づいて、端末機でテレビケーブル網を介して配信されるビデオプログラムの時間的なプラニングが継続的に可能である。
【手続補正３】
【補正対象書類名】明細書
【補正対象項目名】０００３
【補正方法】変更
【補正の内容】
【０００３】
本発明の目的は特に、当該のユーザがユーザ特有の選択命令、および／または選択データを入力する必要なく、画像オブジェクトがユーザ別に選択され、当該ユーザの通信機器に送信されることを可能にする、画像オブジェクトの新規かつ改良されたシステム、および新規かつ改良された方法を提供することにある。
上記の目的は本発明に基づき、特に独立クレームに記載の要素によって達成される。更に、その他の有利な実施形態は従属クレームおよび以下の説明から明らかにされる。
【手続補正４】
【補正対象書類名】明細書
【補正対象項目名】０００４
【補正方法】変更
【補正の内容】
【０００４】
上記の目的は本発明に基づいて特に、画像オブジェクトを配信するシステムであって、通信網と、該通信網と接続された少なくとも１つのメディアセンタと、該メディアセンタと接続され、該画像オブジェクトおよび該画像オブジェクトに関連付けられた画像オブジェクト情報が内部に記憶されている画像オブジェクトデータベースと、該通信網と接続可能である１つまたは複数個の通信端末機とを含み、該通信端末機はその１つの通信端末機のユーザに対して該画像オブジェクトを閲覧できるようにする表示ニットをそれぞれ使用可能であり、該メディアセンタによって、該通信機器から該通信網を経て該メディアセンタにそれぞれ転送されるユーザ識別データが受信され、該メディアセンタによって、該メディアセンタと接続され、かつユーザ関心対象プロファイルおよび該ユーザ関心対象プロファイルに関連付けられたユーザ識別データが記憶されたユーザ関心対象データベースから、該受信されたユーザ識別データに関連付けられたユーザ関心対象プロファイルが決定され、該メディアセンタによって該決定されたユーザ関心対象プロファイルの情報との少なくとも１つの一致点を有する画像オブジェクト、すなわち所定の相関値に基づく少なくとも１つの相関関係を有する画像オブジェクト情報が関連付けられた画像オブジェクトが該画像オブジェクトデータベースから決定され、かつ、該メディアセンタによって、該決定された画像オブジェクトの少なくとも１つが通信網を経て該受信されたユーザ識別データの転送元である当該の通信機器に送信される、システムによって達成される。ユーザ識別データがユーザの通信機器から受信され、該ユーザ識別データに関連付けられたユーザ関心プロファイルが決定され、かつ該決定されたユーザ関心対象プロファイルに基づいて、また該画像オブジェクトに関連付けられた画像オブジェクト情報に基づいて画像オブジェクトがメディアセンタによって選択され、かつ送信されることにより、画像オブジェクトがメディアセンタによってユーザ別に選択され、該ユーザが命令および／またはデータを入力しなくても、ユーザの通信機器に転送されることが可能であるという利点が得られる。